(57)【要約】【課題】編成技術を習得する必要が無く、誰でも容易に編成できるとともに長期にわたる着用に耐えるマフラーなどの編み物を制作できる手芸用ネットを提供することである。【解決手段】ネット糸２ａ、２ｂにより編成された一辺がそれぞれ０．５ｃｍ以上４ｃｍ以下の編目からなる粗いネット２とする。経糸２ｂは二本ずつとする。一本ずつ手編み糸３を緯糸２ａに並列して順次編み込んで布状に形成する。この際、二本ずつの経糸２ａの間に手編み糸を潜らせて編み込むために、編成された手編み糸がその摩擦力によって抜け落ちにくく、その位置に保持される。【選択図】図２
0003137952.tif 000002
【実用新案登録請求の範囲】
【請求項１】
ネット糸により粗い網目に編成され、手芸用糸を該網目に順次編み込んで布状の編み物を制作する手芸用ネットにおいて、
一辺がそれぞれ０．５ｃｍ以上４ｃｍ以下の網目からなり、少なくともいずれかの方向の前記ネット糸を複数本にして、前記手芸糸を複数本の該ネット糸の間を通して編み込み可能とした手芸用ネット。
【請求項２】
複数本のネット糸は二本からなることを特徴とする請求項１記載の手芸用ネット。
【請求項３】
マフラー用に編成されていることを特徴とする請求項１記載の手芸用ネット。
【請求項４】
ショール用に編成されていることを特徴とする請求項１記載の手芸用ネット。
【考案の詳細な説明】
【技術分野】
【０００１】
本考案は、選択した手芸糸により柄や風合いを独自のものとし、また簡易に編成できる編み物を制作するための手芸用ネットに関するものである。
【背景技術】
【０００２】
マフラーやショールなどの編み物は既製品から好みにあったものを選択するのが一般的である。また、人によっては自分の好みに応じた、既製品では得られない柄や風合いの編み物を得るために、自分で手編みなどで編成する場合もある。
しかし、手編みするには、編成技術を習得している必要がある。また、熟練者であっても、編成には何日にもわたる長い時間を要し、誰でも容易に編成できるというものではない。
【０００３】
ここで、イタリア国のメーカーであるオーナジ  フィラッティ社（原語表記Ｏｒｎａｇｈｉ  Ｆｉｌａｔｉ）から、編成技術を習得していない誰でも容易に編成できるスカーフ用の手芸用ネット２００が販売されている。
【０００４】
この商品は、図６に示すように、平編みされて緯糸２００ａと経糸２００ｂにより約１ｃｍの網目からなるネット２００である。このネット２００に自分の好みに応じて選択した手編み糸を、この網目に沿って一本ずつ編成していく。そして、この作業を順次繰り返して、多数の手編み糸を並列して編成するだけでスカーフを完成できるというものである。
【０００５】
しかしながら、一旦完成したスカーフを着用していると、並列して編成された多数本の手編み糸が片寄りや抜け落ちを生じやすく、長期にわたる着用に耐えられないという課題を有している。
【考案の開示】
【考案が解決しようとする課題】
【０００６】
解決しようとする問題点は、編成技術を習得する必要が無く、誰でも容易に編成できるとともに長期にわたる保持力に優れた編み物とすることのできる手芸用ネットを提供する。
【課題を解決するための手段】
【０００７】
本考案は、ネット糸により粗い網目に編成され、手芸用糸を網目に順次編み込んで布状の編み物を制作する手芸用ネットにおいて、一辺がそれぞれ０．５ｃｍ以上４ｃｍ以下の網目からなり、少なくともいずれかの方向のネット糸を複数本にして、手芸糸を複数本のネット糸の間を通して編み込み可能としている。
【０００８】
ネットの全体形状は、方形のマフラー、ショール、スカーフ又はマット用の他、用途に応じて円形、台形、三角形など種々の形状に編成される。また、編成された編み物を縫製などの加工を施して帽子、バッグなどを制作することもできる。
【０００９】
ここで、網目の一辺が０．５ｃｍ未満では、編成技術に習熟していない人が手芸糸を編成していくのが困難になる。一方網目の一辺が４ｃｍを超えると編成された手芸糸が片寄りしやすくなる。このため、ネットの編目の一辺がそれぞれ０．５ｃｍ以上４ｃｍ以下とする。
【００１０】
また、ネットの少なくともいずれかの方向のネット糸を複数本とは、基本的には二本にすることが望ましい。この二本のネット糸の間に手編み糸を潜らせることにより、編成された手芸糸がその摩擦力によって抜け落ちにくく、その位置に保持される。特に滑りやすい手芸糸を編成するに際しては、三本又はそれ以上の本数として、摩擦抵抗を高めることもできる。
【００１１】
なお、本明細書において、手芸糸とは、いわゆる手編み糸ばかりでなく、細切りした布なども含めた概念である。また手編み糸と金糸、銀糸などの線材や細切りの布なども併用することもできる。
【考案の効果】
【００１２】
本考案の手芸用ネットは、ネット糸により網目の粗いネット状に編成され、手芸糸を網目に順次編み込んで布状の編み物を形成する手芸用ネットにおいて、一辺がそれぞれ０．５ｃｍ以上４ｃｍ以下の網目からなり、少なくともいずれかの方向のネット糸を複数本にして、手芸糸を複数本のネット糸の間を通して編み込み可能としているため、編成技術を習得する必要が無く、誰でも容易に編成でき、更に長期にわたる保持力に優れた編み物を提供できるという利点がある。
【考案を実施するための最良の形態】
【００１３】
以下、この考案の実施例を詳細に説明する。
【実施例１】
【００１４】
図１〜図３は、本考案の実施例１として、マフラーに適用した例を示し、図１は、完成したマフラー１の概略図である。ほぼ縦幅約２５ｃｍ、横幅約１２０ｃｍの長方形に編成されたネット２に手芸糸、この実施例では多数本の手編み糸３を並列して編み込んでマフラー１に編成されている。
【００１５】
図２に示すように、ネット２は、アクリル毛糸からなるネット糸により緯糸２ａと経糸２ｂとで網目の粗いネット状に平編みに編成されている。ここで緯糸２ａは約１．０ｃｍ間隔で平行に編成され、一方、経糸２ｂは二本ずつからなり、約１．５ｃｍと１．０ｃｍ間隔で交互に編成されている。
【００１６】
このように編成されたネット２をベースにしてマフラーを編成するには、最初に、自分の気に入った柄・風合いなどを考えて多数種の手編み糸３から選択する。そして図２に一本の手編み糸３を例示しているように、ネット２の左端から右側に向かって、編み込んでゆく。編み込み方は図３に示すように、緯糸２ａと平行に、二本の経糸２ｂ、２ｂの間をくぐらせながら手編み糸３をネット２の右に向かってネット２の右端まで編み込んでいく。
【００１７】
この際、ネット基体２は１．０ｃｍ以上の粗い編み目のために、編物の編成技術に習熟していない人でも二本の経糸２ｂ、２ｂの間を手編み糸３を順次潜らせていくだけで編成することができる。つづいて、次に選択された手編み糸３を最初の手編み糸と同様の手順で編み込んでいく。これを順次繰り返して、予定した手編み糸を全て編成することによりマフラー１が完成する。
【００１８】
完成したマフラーは、それぞれ狭い間隔の二本の経糸２ｂ、２ｂの間を潜らせているために手編み糸に大きな摩擦抵抗が与えられる。これによって、編成された手編み糸は、結束しなくても抜け落ちたり、移動することがなく、保持される。
【００１９】
図４は実施例２を示し、緯糸２０ａが一本ずつであるのに対して、経糸は一本の経糸２０ｂ１と二本の経糸２０ｂ２を交互に配列した例である。この実施例２は摩擦抵抗の大きな手芸糸、例えばごく太の手編み糸や細切りした布ばかりが選択された場合に適したネット基体２０であって、実施例１のネット２の場合よりも更に容易に手編み糸を編成することができる。
【００２０】
図５は実施例３を示し、緯糸２１ａが一本ずづであるのに対して、三本ずつの経糸２１ｂ１、２１ｂ２、２１ｂ３としている。このように三本ずつの経糸としたことにより、摩擦抵抗をさらに高めることができる。特に摩擦力が小さくなる細い手編み糸や金糸等の滑りやすい線材を選択して編成する際に適したネットである。
【図面の簡単な説明】
【００２１】
【図１】実施例１のマフラーの完成状態を示す概略図
【図２】実施例１のネットの一部の平面図
【図３】実施例１の編成状態を示す一部の断面図
【図４】実施例２のネットの一部の平面図
【図５】実施例３の編成状態を示す一部の断面図
【図６】従来のネットの一部の平面図
【符号の説明】
【００２２】
１…マフラー
２…ネット
３…手編み糸
２ａ…緯糸
２ｂ…経糸  
【図１】
0003137952.tif 000003
【図２】
0003137952.tif 000004
【図３】
0003137952.tif 000005
【図４】
0003137952.tif 000006
【図５】
0003137952.tif 000007
【図６】
0003137952.tif 000008